(57)【要約】      （修正有）【課題】背面で滑降するこのスキースタイルで、スキーポールをシャフト全長の略中心から下方には、軸直線に対し後方に湾曲された曲げ部位を形成したことで、常時手首に力を入れておく必要が無くなり、手首の疲労を防止することができる。【解決手段】シャフトの上部には手バンドを備えたグリップを設け、下端の石突きの上部にはリングが取り付けられて成るスキーポールにおいて、シャフト全長の略中心から上方は直状部位とし、下方は軸直線に対し後方に湾曲された曲げ部位を設け、また、ポール下端の石突き６上部に取り付けられるリングは、曲げられたシャフトの石突き直上の軸線に対し概直角に設けられることを特徴としている。【選択図】図１
0003130229.tif 000002
【実用新案登録請求の範囲】
【請求項１】
シャフトの上部には手バンドを備えたグリップを設け、下端の石突きの上部にはリングが取り付けられて成るスキーポールにおいて、
シャフト１全長の略中心から上方は直状部位２とし、下方は軸直線に対し後方に湾曲された曲げ部位３が形成されたことを特徴とするスキーポール。
【請求項２】
ポール下端の石突き６の上部に取り付けられるリング７は、曲げられたシャフトの石突き直上の軸線に対し概直角に取付けられたことを特徴とする請求項１記載のスキーポール。
【考案の詳細な説明】
【技術分野】
【０００１】  本考案は、斜面を背走するスキー滑走スタイルのスキーに用いるスキーポールに関するものである。
【背景技術】
【０００２】  図３に従来のスキーポールを正面から示したが、一般的なスキーポール１０は、ポール本体であるシャフト１２の上端に、手首に取付ける手バンド１４を備えたグリップ１５が取り付けられて構成され、該グリップ１５を手で握った状態でシャフト１２下端の石突１６で雪面を突いて使用されるものである。
このとき、雪面を安定して捉えるためリング１７が石突１６の上方に設けられている。
このようにスキーポール１０はグリップ、シャフトとも一直線に形成されているのが普通である。
【考案の開示】
【考案が解決しようとする課題】
【０００３】  しかしながら、近年のスキー滑走スタイルはカービングスキーの登場でターン技術が大幅に進歩し、これに伴ってポールワークの重要性が増して来ている。また、フリースタイルスキーやモーグルスキーのように自由気ままに形に囚われないフリースキーと呼ばれる滑走スタイルのスキーが盛んになってきている。さらに驚くべきことに、斜面を背走するスキー滑走スタイルが急激に普及を遂げつつある。
そこで、これに対応する新規な形状のスキーポールが求められている。本考案はこのような要求に応えるスキーポールを提供するものである。
【課題を解決するための手段】
【０００４】  即ち本考案は、シャフトの上部には手バンドを備えたグリップを設け、下端の石突き上部にはリングが取り付けられて成るスキーポールにおいて、シャフト全長の略中心から上方は直状部位とし、下方は軸直線に対し後方に湾曲された曲げ部位が形成され、また、ポール下端石突きの上部に取り付けられるリングは、曲げられたシャフトの石突き直状の軸直線に対し概直角に取付けられたことを特徴とするものである。
【考案の効果】
【０００５】（１）背面で滑降するこのスキースタイルでは、ポール下方を雪面から常時持ち上げている必要があるため、従来品のスキーポールを使用すれば、常時手首に力を入れておく必要が有ったが、本考案のスキーポールは、シャフト全長の略中心から下方には、軸直線に対し後方に湾曲された曲げ部位を形成したことで、常時手首に力を入れておく必要が無くなり、手首の疲労を防止することができる。【０００６】  背面で斜面を滑降する最近普及著しいスキーのスタイルでは、ともすれば斜面に対し、ポールの石突きが突き刺さって急ブレーキがかかった状態となって転倒事故の発生が懸念されていたが、係る懸念を払拭する効果を奏する新規形状のスキーポールを提供できる。
【考案を実施するための最良の形態】
【０００７】  本考案は、斜面を背走すると言う全く新しいスキースタイルに使用するのに適するスキーポールを提供するもので、シャフトの上部には手バンドを備えたグリップを設け、下端の石突き上部にはリングが取り付けられて成るスキーポールにおいて、シャフト全長の略中心から上方は直状部位を形成し、下方は軸直線に対し後方に湾曲された曲げ部位が形成され、また、ポール下端石突きの上部に取り付けられるリングは、曲げられたシャフトの石突き直上の軸線に対し、概直直角に取付けられたことを特徴としているものである。【０００８】  本考案のスキーポール本体のシャフトは上記説明のように、全長の略中心から上方は直状部位を形成し、下方には軸直線に対し後方に湾曲された曲げ部位が形成され、且つ、下端石突きの上部に取り付けられるリングは、曲げられたシャフトの石突き直上の軸線に対し概直直角に取付けられたものなので、上部に手バンドを備えたグリップが取付けられるまでを対比すれば、その目的、作用、効果に大いなる違いを有しているが、一見した限りでは、公知の例えば実開昭５３−８５２６７号の図４に記載されたものとの差異は下端部のみである。【０００９】    つまり、上記形状を呈するシャフトに製造の最終工程でグリップが取付けられることで、
全長の略中心から上方は直状部位を形成し、下方には軸直線に対し後方に湾曲された曲げ部位が形成された本考案のスキーポールが誕生となる。
したがって、曲げ部を有する従来公知の技術、例えば実開昭５３−９７０７２号、同５５−１６１５４号、同６３−９２６７１号、特開昭６２−２３１６８７号、特開平１０−２８７５０号、特開２００４−１８８０９２号とはその構成要件を異にしているばかりでなく、これらの公知スキーポールでは得る事ができない効果を奏するものである。
【実施例】
【００１０】  図面に示す実施例に基づき本考案を説明すると、図１は本考案に係るスキーポールを示し、図２はスキーポール上部のグリップを握った状態を拡大で示し、本考案のポイントである湾曲された曲げ部位を説明する上で重要な前方と後方の意を説明するもので、図３は従来の一般的なスキーポールを示したものである。【００１１】  スキーポール本体と成るシャフト１は、公知の従来品と同様に主としてアルミニューム管で作られ、上端から下端に至り徐々に細径を呈し、下端には石突き６が備えられ、シャフト１全長の略中心から上方は直状部位２とし、下方は軸直線に対し後方に湾曲された曲げ部位３が形成される。また、前記石突き６の上部には、この石突きの直上の軸線に対し概直角にリング７を設けるとともに、上端には手皮４を備えたグリップ５を取り付けて構成される。【００１２】  図２で示したように、グリップ５を使用状態で握ったとき、図中符号Ａ矢印方向を前方とし、符号Ｂ矢印方向を後方として、前記説明のシャフトの湾曲された曲げ部位３が、符号Ｂ矢印方向と成ることで本考案のスキーポールは完成される。尚、グリップに備えられる手皮は、図示のように手首に巻きつける形式のものであっても、他の方法によるものであっても何ら差し支え無い。
【産業上の利用可能性】
【００１３】  以上のように、本考案は最近普及が著しい斜面を背走するスキー滑走スタイルに対応する新規な形状のスキーポールを提供するもので、この種のスキーポールが存在していない中、従来品に無いコンセプトに基づくものであり、大いなる需要を見込むことができ、且つ、製造過程で問題となる点や加工の困難性も無く、製造上の課題も存在しないので産業上の利用可能性は頗る高いものが有る。
【図面の簡単な説明】
【００１４】
【図１】本考案に係るスキーポールの構成を説明する図である。
【図２】グリップを使用状態で握ったときの状態を説明する図である。
【図３】従来の一般的なスキーポールの構成を説明する図である。
【符号の説明】
【００１５】１スキーポール      ２ポール本体      ３手皮      ４グリップ      ５リング
６直状部      ７湾曲部      ８石突き
【図１】
0003130229.tif 000003
【図２】
0003130229.tif 000004
【図３】
0003130229.tif 000005